(57)【要約】      （修正有）【課題】肌ずれや蒸れを防止して、所望な回外角度または回内角度を保持してリハビリ作業を行うことができるようにした前腕回内外運動用装具に用いる手首固定バンドを提供する。【解決手段】手の平及び手の甲を覆い、親指を挿入する親指挿入穴２１ａを有する手覆い部２１と、該手覆い部２１に連結され、手首部分に装着されるバンド部と、前記バンド部材２２の装着時の外側面となる面に形成されたゴムやバネ等の弾性部材を取り付けるための弾性部材取付片２２ａとから構成した前腕回内外運動用装具に用いる手首固定バンドである。【選択図】図６
0003131994.tif 000002
【実用新案登録請求の範囲】
【請求項１】
手の平及び手の甲を覆い、親指を挿入する親指挿入穴を有する手覆い部と、
該手覆い部に連結され、手首部分に装着されるバンド部と、
前記バンド部材における装着時の外側面となる面に形成されたゴムやバネ等の弾性部材を取り付けるための弾性部材取付片と、
から構成したことを特徴とする前腕回内外運動用装具に用いる手首固定バンド。
【請求項２】
前記手覆い部とバンド部を布またはメッシュ状のウレタンで構成し、肌ズレや蒸れが発生しないようにしたことを特徴とする請求項１記載の前腕回内外運動用装具に用いる手首固定バンド。
【請求項３】
前記手覆い部には、バンド部による動脈の圧迫を防止する動脈保護部材が着脱自在に設けられていることを特徴とする請求項１または２記載の前腕回内外運動用装具に用いる手首固定バンド。
【請求項４】
前記動脈保護部材は、断面が手首の湾曲に近似する湾曲形状に形成されていることを特徴とする請求項３記載の前腕回内外運動用装具に用いる手首固定バンド。
【考案の詳細な説明】
【技術分野】
【０００１】
本考案は、前腕の骨折などの前腕の外傷に起因する前腕回旋の可動域制限、即ち、回内及び回外の機能制限の回復を促進する前腕回内外運動用装具に用いる手首固定バンドに関するものである。
【背景技術】
【０００２】
従来、前腕の骨折などで前腕回旋の可動域制限、即ち、回内及び回外の機能制限を回復させるリハビリ作業に用いる装置が提案されている。該装置は、上腕に取付け可能な取付けバンドと、取付けバンドの両側に固定された対となる吊り下げ部材と、対となる細長片及び細長片の先部を繋ぐ連結片とを有し、細長片の基部が吊り下げ部材の端部に回旋運動自在に取付けられたフレームと、連結片の中央部に設けられた軸受部を介して回旋可能に取付けられた回旋軸と、フレームの内側にあって、しかも回旋軸の先部に取付けられた前腕保持具と、フレームにその一部が固定されて、前腕保持具に回旋力を与える回旋力発生部材とから構成されている。
【０００３】
前記装置の使用に際しては、上腕に取付けバンドを巻付けて固定し、両方の細長片の間に前腕を挿入し、前腕部に前腕保持具を装着する。そして、フレーム側の任意の固定フックを選択し、当該固定フックに回旋力発生部材を掛けることにより、前腕保持具に回外または回内させる回旋力を与え、前腕保持具と共に前腕部を徐々に回旋させることができる。
【特許文献１】特開２０００−２１０３４９
【考案の開示】
【考案が解決しようとする課題】
【０００４】
しかしながら、上述の装置では、前腕部の保持にはプラスチック製の前腕保持具を用いているため、前腕保持具内で前腕が動き、肌ずれが生じて怪我をしたり、蒸れが生じて不快である等の問題があった。
【０００５】
本考案は前記した問題点を解決せんとするもので、その目的とするところは、肌ずれや蒸れを防止して、所望な回外角度または回内角度を保持してリハビリ作業を行うことができるようにした前腕回内外運動用装具に用いる手首固定バンドを提供せんとするにある。
【課題を解決するための手段】
【０００６】
本考案の前腕回内外運動用装具の手首固定バンドは前記した目的を達成せんとするもので、請求項１の手段は、手の平及び手の甲を覆い、親指を挿入する親指挿入穴を有する手覆い部と、該手覆い部に連結され、手首部分に装着されるバンド部と、前記バンド部材における装着時の外側面となる面に形成されたゴムやバネ等の弾性部材を取り付けるための弾性部材取付片とから構成したものである。
【０００７】
請求項２の手段は、前記した請求項１において、前記手覆い部とバンド部を布またはメッシュ状のウレタンで構成し、肌ズレや蒸れが発生しないようにしたことを特徴とする。
【０００８】
請求項３の手段は、前記した請求項１または２において、前記手覆い部には、バンド部による動脈の圧迫を防止する動脈保護部材が着脱自在に設けられていることを特徴とする。
請求項４の手段は、前記した請求項３において、前記動脈保護部材は、断面が手首の湾曲に近似する湾曲形状に形成されていることを特徴とする。
【考案の効果】
【０００９】
本考案は前記したように、前腕回内外運動用装具に用いる手首固定バンドによれば、前腕回内外運動用装具の弾性部材による外力は弾性部材取付片に働くことになるが、バンド部材により分散されるため手覆い部には局所的な力が加わらず、バンド部材が吊れることもなく、肌ずれ等が生じることがない。
【００１０】
また、布又はメッシュ状のウレタンを用いることにより、蒸れによる不快感も防止することができ、さらに、手覆い部には動脈保護部材が着脱自在に設けられているので、使用する者の動脈を圧迫することがないので、使用時において動脈の圧迫による不快感を与えることがない等の効果を有するものである。
【考案を実施するための最良の形態】
【００１１】
本考案は、手の平及び手の甲を覆い、親指を挿入する親指挿入穴を有する手覆い部と、該手覆い部に連結され、手首部分に装着されるバンド部と、前記バンド部材における装着時の外側面となる面に形成されたゴムやバネ等の弾性部材を取り付けるための弾性部材取付片とから構成した。
【００１２】
以下では、本考案にかかる前腕回内外運動用装具に用いる手首固定バンドを図面に基づいて具体的に説明する。
ここで、図１は環状部材の正面図であり、図２は外側環状部材に対する内側環状部材の取り付け構造を示す説明図であり、図３は本考案にかかる前腕回内外運動用装具（本体フレーム及び環状部材）の斜視図であり、図４は環状部材に前腕を装着した状態を示す説明図であり、図５は本考案にかかる前腕回内外運動用装具に前腕を装着した状態を示す説明図であり、図６は手首固定バンドの平面図であり、図７は手首固定バンドの背面図であり、図８〜図１０は手首固定バンドの装着過程を示す説明図であり、図１１は手首固定バンドの手の平側の装着状態を示す説明図、図１２は手首固定バンドの手の甲側の装着状態を示す説明図である。
【００１３】
図３における符号１は、本考案にかかる前腕回内外運動用装具の本体フレームを示している。
本体フレーム１は対となる棒状部材１０を有し、この対となる棒状部材１０の先部は連結部材１１により繋がれている。本実施形態においては、対となる棒状部材１０の他の先部も連結部材１２により連結され、平面視において矩形状をなしている。なお、図示してはいないが、本体フレーム１の各角部には必要に応じて脚部を設けることもできる。
【００１４】
また、連結部材１２の中央には、後述するように使用時において中指を挿入する中指挿入部１３が設けられている。さらに、対となる棒状部材１０の間には、布等からなる前腕載置部材１４が設けられると共に、対となる棒状部材間を摺動可能に環状部材１５が取り付けられている。
【００１５】
環状部材１５は、図１及び図２に示すように、前記棒状部材１１が挿通される挿通穴１５１ａを有する外側環状部材と、この外側環状部材に対して回転かつ固定可能に設けられる内側環状部材とから構成されている。前記外側環状部材１５１に設けられる挿通穴１５１ａは、スリット１５１ｂと蝶ネジ１５１ｃによって、その大きさを変更できるようになっており、前記棒状部材１０上を摺動可能でかつ固定可能になっている。
【００１６】
前記内側環状部材１５２には、図２に示すように、外側環状部材１５１の内周面に設けたガイド溝１５１ｄに、ネジ等からなる複数のガイドピン１５２ａによって回転可能に取り付けられている。また、内側環状部材１５２には、取付ネジ１５３ａを支点としてつまみ部１５３ｂを回動させることにより、外側環状部材１５１のガイド溝１５１ｄの内面に先端部１５３ｃが当接して外側環状部材１５１に対して内側環状部材１５２を固定可能とするストッパ１５３が設けられている。さらに、内側環状部材１５２には、後述する弾性部材を掛止させる４つのフック１５２ｂが設けられている。
【００１７】
図６及び図７における符号２は、右手に装着される手首固定バンドを示している。この手首固定バンド２は、布やメッシュ状のウレタン等からなり、手の平及び手の甲を覆う手覆い部２１と、この手覆い部２１に連結され、手首部分に装着されるバンド部２２とから構成されている。なお、手首固定バンドを手に装着した際の外側面が図６、内側面が図７となっている。また、図示しないが、左手に装着されるものは、右手に装着されるものとは逆の構成となる。
【００１８】
手覆い部２１は、略矩形状をなし、図７においては、中央左寄り上部に親指を挿入する親指挿入穴２１ａが設けられると共に、この親指挿入穴２１ａから左斜め上方に向けて親指を固定するための親指固定片２１ｂが設けられている。
バンド部２２は、手首部分に巻き付けて装着できるように帯状をなし、図６に示すように、手覆い部２１の左辺近傍に縫着されている。また、バンド部２２には、後述する弾性部材を掛止させる複数の弾性部材取付片２２ａが設けられている。
【００１９】
手首固定バンド２の手及び手首への装着にあたっては、面ファスナが用いられる。詳しくは、手覆い部２１の左辺に設けられるオス面ファスナ２３ａが、図６に示すメス面ファスナ２３ｂに対応している。親指固定片２１ｂの先端に設けられるオス面ファスナ２４ａが、図６のメス面ファスナ２４ｂに対応している。さらに、バンド部２２の先端に設けられるオス面ファスナ２５ａが、図６に示すメス面ファスナ２５ｂに対応している。
【００２０】
図６には、手首固定バンドとは別に、断面が湾曲形状をなすと共に、平面視矩形状をなしたプラスチック等の剛性板を布又はメッシュ状のウレタン等で被覆して形成された動脈保護部材２６が図示されている。この動脈保護部材２６は、後述するように、バンド部２２を手首に巻き付ける際に、動脈が圧迫されることを防止するために装着するものであって、その裏面側にはオス面ファスナ（図示せず）が縫着されている。
【００２１】
弾性部材３は、ゴム、バネ等からなり、内側環状部材１５２と手首固定バンド２との間に設けられるものである。図４は、弾性部材３としてゴムを用いた例であり、詳しくは、手首固定バンド２の弾性部材取付片２２ａの対向する４箇所に弾性部材（ゴム）３を通して環状とした後、この弾性部材（ゴム）３を内側環状部材１５２に設けるフック１５２ｂにそれぞれ掛止したものである。このように弾性部材３としてゴムを用いた場合には、ゴムの長さを調整することにより、回旋軸と前腕の中心軸とを合わせる調整を容易に行うことができる。
【００２２】
次に、本考案にかかる前腕回内外運動用装具の使用方法について説明する。
（１）手首固定バンドの装着
まず、リハビリ作業を行う前腕Ｆ（本実施形態においては右腕）側の手Ｈの親指Ｔを手首固定バンド２の親指挿入穴２１ａに挿入し（図８参照）、手覆い部２１によって手の平及び手の甲を覆うようにして面ファスナ２３ａ，２３ｂにて固定すると共に、親指Ｔを親指固定片２１ｂを用いて面ファスナ２４ａ，２４ｂにて固定する（図９参照）。
【００２３】
その後、手首部分にバンド部２２を巻き付けて固定することとなるが、この際、手首部分の動脈をバンド部２２により圧迫しないように、手首の動脈部分に面ファスナ２３ｂを用いて動脈保護部材２６を取り付ける（図１０参照）。そして、手首部分にバンド部２２を巻き付けて面ファスナ２５ａ，２５ｂにて固定する（図１１，図１２参照）。このように、手首部分を固定することにより、リハビリ作業時に手のみが回転してしまうことがなくなる。
【００２４】
（２）環状部材への取り付け
手首固定バンド２の手への装着後、本体の中指挿入部１３に中指を挿入し、前腕を前腕載置部材１４に載置した状態（図５参照）で、手首固定バンド２の弾性部材取付片２２ａの対向する４箇所に弾性部材（ゴム）３を通して環状とし、この弾性部材（ゴム）３を環状部材１５の内側環状部材１５２に設けるフック１５２ｂにそれぞれ掛止する（図４参照）。この際、弾性部材（ゴム）３の長さを調整することにより、回旋軸と前腕の中心軸とが一致するように調整する。また、環状部材１５を本体フレーム１の棒状部材１０上を摺動させることにより、中指挿入部１３と環状部材１５との距離を調整することができる。
【００２５】
（３）リハビリ作業
リハビリ作業に使用する場合、環状部材１５の内側環状部材１５２を右又は左へ所望角度に回動させる。詳しくは、図５に示す状態において、内側環状部材１５２をＡ方向に回動させると回内（手の平を下に向ける運動）となり、Ｂ方向に回動させると回外（手の平を上に向ける運動）となる。
【００２６】
その後、ストッパ１５３のつまみ１５３ｂを起こすことにより、外側環状部材１５１のガイド溝１５１ｄの内面に先端部１５３ｃが当接して外側環状部材１５１に対して内側環状部材１５２を所望角度で固定することができる。
【００２７】
このように、外側環状部材１５１に対して内側環状部材１５２を所望角度で固定することにより、前腕は回内又は回外状態で保持されることになるため、リハビリ効果が十分に期待できる。
【００２８】
なお、弾性部材（ゴム）３の弾性力は、手首固定バンド２の弾性部材取付片２２ａに働くが、バンド部材２２により分散され、手覆い部２１には局所的な力が加わらない。このため、バンド部材２２が吊れることもなく、肌ずれ等が生じることもない。
【図面の簡単な説明】
【００２９】
【図１】環状部材の正面図である。
【図２】外側環状部材に対する内側環状部材の取り付け構造を示す説明図である。
【図３】前腕回内外運動用装具（本体フレーム及び環状部材）の斜視図である。
【図４】環状部材に前腕を装着した状態を示す説明図である。
【図５】前腕回内外運動用装具に前腕を装着した状態を示す説明図である。
【図６】本考案にかかる前腕回内外運動用装具に用いる手首固定バンドの平面図である。
【図７】本考案にかかる前腕回内外運動用装具に用いる手首固定バンドの背面図である。
【図８】本考案にかかる前腕回内外運動用装具に用いる手首固定バンドの装着過程を示す第１の説明図である。
【図９】本考案にかかる前腕回内外運動用装具に用いる手首固定バンドの装着過程を示す第２の説明図である。
【図１０】本考案にかかる前腕回内外運動用装具に用いる手首固定バンドの装着過程を示す第３の説明図である。
【図１１】本考案にかかる前腕回内外運動用装具に用いる手首固定バンドの手の平側の装着状態を示す説明図である。
【図１２】本考案にかかる前腕回内外運動用装具に用いる手首固定バンドの手の甲側の装着状態を示す説明図である。
【符号の説明】
【００３０】
１      前腕回内外運動用装具（本体）
１１    棒状部材
１２    連結部材
１３    中指挿入部
１４    前腕載置部材
１５    環状部材
１５１  外側環状部材
１５２  内側環状部材
２      手首固定バンド
２１    手覆い部
２２    バンド部
２６    動脈保護部材
３      弾性部材
【図１】
0003131994.tif 000003
【図２】
0003131994.tif 000004
【図３】
0003131994.tif 000005
【図５】
0003131994.tif 000006
【図１１】
0003131994.tif 000007
【図４】
0003131994.tif 000008
【図６】
0003131994.tif 000009
【図７】
0003131994.tif 000010
【図８】
0003131994.tif 000011
【図９】
0003131994.tif 000012
【図１０】
0003131994.tif 000013
【図１２】
0003131994.tif 000014